(57)【要約】【課題】簡易な構造かつ生産性の高い安価な緩衝材及びこれを組み立て可能な緩衝材用シートを提供すること。【解決手段】シート１を折り曲げることによって緩衝材３を組み立て可能な緩衝材用シート１。シート１は、第１底面部２１と、緩衝面部２２と、第２底面部２３とを、隣り合う各面部の間に折り目線４を介在させて設けると共に、第１底面部２１には係止片２１０を形成し、かつ第２底面部には支持穴２３０を形成してある。シート１を各折り目線４を起点として一方側の端縁部２４と他方側の端縁部２５が近づく方向に折り返して環状形状とし、さらに、第１底面部２１と第２底面部２３とが環状形状の内方に向けて窪む形態をとるように組み立て可能である。【選択図】図６
2012012096.tif 000002
【特許請求の範囲】
【請求項１】
折り曲げることによって緩衝材を組み立て可能な緩衝材用シートであって、
該シートは、一方側の端縁部を含むように配置された第１底面部と、該第１底面部から連続して配置された少なくとも３面の緩衝面部と、該緩衝面部に隣接して他方側の端縁部を含むように配置された第２底面部とを、隣り合う各面部の間に折り目線を介在させて設けてなると共に、上記第１底面部には上記一方側の端縁部から外方に突出した係止片を形成し、かつ上記第２底面部には上記係止片を挿入支持するための支持穴を形成してあり、
上記シートを上記各折り目線を起点として上記一方側の端縁部と上記他方側の端縁部が近づく方向に折り返して環状形状とし、さらに、上記第１底面部の上記係止片を上記第２底面部の上記支持穴から上記環状形状の内方に差し込むように挿嵌させることにより、上記第１底面部と上記第２底面部とが上記環状形状の内方に向けて窪む形態をとるように組み立て可能であることを特徴とする緩衝材用シート。
【請求項２】
折り曲げることによって緩衝材を組み立て可能な緩衝材用シートであって、
該シートは、一方側の端縁部を含むように配置された第１底面部と、該第１底面部から連続して配置された少なくとも３面の緩衝面部と、該緩衝面部に隣接して他方側の端縁部を含むように配置された第２底面部とを、隣り合う各面部の間に折り目線を介在させて設けてなると共に、上記第１底面部には上記一方側の端縁部から外方に突出した係止片を形成し、かつ上記第２底面部には上記係止片を挿入支持するための支持穴を形成した第１緩衝部形成面と、
上記第１緩衝部形成面と反転形状をなして同一構成を有する第２緩衝部形成面と、
上記第１緩衝部形成面と上記第２緩衝部形成面とが、各々に形成された上記折り目線の方向が互いに斜めになるように、上記第１緩衝部形成面と上記第２緩衝部形成面の緩衝面部の間に隣接し、折り目線を介在させて両者を連結するコーナ面とを有しており、
上記第１緩衝部形成面及び上記第２緩衝部形成面を、それぞれ、上記各折り目線を起点として上記一方側の端縁部と上記他方側の端縁部が近づく方向に折り返して環状形状とし、さらに、上記第１底面部の上記係止片を上記第２底面部の上記支持穴から上記環状形状の内方に差し込むように挿嵌させることにより、上記第１底面部と上記第２底面部とが上記環状形状の内方に向けて窪む形態をとるように組み立て、上記第１緩衝部形成面からなる第１緩衝部及び上記第２緩衝部形成面からなる第２緩衝部を各々形成し、ついで、上記コーナ面と上記第１緩衝部形成面及び上記第２緩衝部形成面との間の上記折り目線を起点として、上記第１緩衝部と上記第２緩衝部とが互いに近付く方向に折り返すことにより、全体を略Ｌ字状に形成して組み立て可能であることを特徴とする緩衝材用シート。
【請求項３】
請求項２に記載の緩衝材用シートにおいて、上記コーナ面は、三角形状の第１コーナ面部を備え、該三角形状の２辺に設けられた折り目線を介して、上記第１緩衝部形成面と上記第２緩衝部形成面とに連結されていると共に、残りの１辺に設けられる折り目線を介して、略三角形状の第２コーナ面部が連結されており、該第２コーナ面部には、組み立てられた上記第１緩衝部及び上記第２緩衝部の端部から内部に差し込む一対の支持片が設けられていることを特徴とする緩衝材用シート。
【請求項４】
請求項２又は３に記載の緩衝材用シートにおいて、上記第１緩衝部形成面の第２底面部には端縁部から外方に突出した差込片を形成し、かつ上記第２緩衝部形成面の第２底面部には端縁部から外方に突出し、上記差込片を挿入支持するための差込穴を有した受け片を形成したことを特徴とする緩衝材用シート。
【請求項５】
請求項１〜４のいずれか一項に記載の緩衝材用シートにおいて、上記第１底面部と上記第２底面部の表面には、両面テープを配したことを特徴とする緩衝材用シート。
【請求項６】
請求項１〜５のいずれか一項に記載の緩衝材用シートにおいて、組み立て後の上記第１底面部と上記第２底面部とを、これらの表面における長手方向に直交する断面の角度が９０度となるように配した際に、上記他方側の端縁部の先端と上記環状形状の内面との間及び上記一方側の上記係止片の先端と上記環状形状の内面との間に空間を有することを特徴とする緩衝材用シート。
【請求項７】
請求項１〜６のいずれか一項に記載の緩衝材用シートにおいて、上記シートはダンボールよりなることを特徴とする緩衝材用シート。
【請求項８】
請求項１〜７のいずれか一項に記載の緩衝材用シートを用いて、組み立ててなることを特徴とする緩衝材。
【発明の詳細な説明】
【技術分野】
【０００１】
本発明は、折り曲げることによって、緩衝材を組み立て可能な緩衝材用シートに関する。
【背景技術】
【０００２】
例えば、柱や梁、テーブル、家具等の種々のエッジ部あるいはコーナ部に、人が衝突した場合、特に乳幼児や子供等が頭部等を打ちつけた場合は怪我や傷を負う場合がある。これに対しては、衝突した際の衝撃を吸収するための緩衝材を上記エッジ部等に配置することが有効であると考えられる。
また、このような用途の緩衝材は半永久的に用いられるわけではないため、低コストで、簡易なものであることが求められる。
【０００３】
従来においては、逆に柱や家具等を運搬等する際にこれら自体を保護する部材の提案はあるものの、ぶつかった人等を保護する部材はあまり提案されていない。
例えば、柱等を保護するものとしては、緩衝部材を含んだ保護材が存在する（特許文献１参照）。
【先行技術文献】
【特許文献】
【０００４】
【特許文献１】実開平５−５１６２９号公報
【発明の概要】
【発明が解決しようとする課題】
【０００５】
しかしながら、特許文献１に示されるような、従来のエッジ部あるいはコーナ部に対し取り付ける保護材は、複数部材から構成されており、例えば、ゴムや合成樹脂等からなる緩衝部材に対し、別部材からなる端面カバーや係止具等を取り付けて、保護材を組み立てる必要がある。
そのため、保護材を構成する部品点数が多く、その取り付けに際しても、かかる構成から組み立て手間を要し、また、その生産性やコスト性についても課題が生じていた。
また、上述したような、ぶつかった人を保護する用途に適しているとは言いがたい。
【０００６】
本発明は、かかる問題点に鑑みてなされたものであって、簡易な構造かつ生産性の高い安価な緩衝材及びこれを組み立て可能な緩衝材用シートを提供しようとするものである。
【課題を解決するための手段】
【０００７】
第１の発明は、折り曲げることによって緩衝材を組み立て可能な緩衝材用シートであって、
該シートは、一方側の端縁部を含むように配置された第１底面部と、該第１底面部から連続して配置された少なくとも３面の緩衝面部と、該緩衝面部に隣接して他方側の端縁部を含むように配置された第２底面部とを、隣り合う各面部の間に折り目線を介在させて設けてなると共に、上記第１底面部には上記一方側の端縁部から外方に突出した係止片を形成し、かつ上記第２底面部には上記係止片を挿入支持するための支持穴を形成してあり、
上記シートを上記各折り目線を起点として上記一方側の端縁部と上記他方側の端縁部が近づく方向に折り返して環状形状とし、さらに、上記第１底面部の上記係止片を上記第２底面部の上記支持穴から上記環状形状の内方に差し込むように挿嵌させることにより、上記第１底面部と上記第２底面部とが上記環状形状の内方に向けて窪む形態をとるように組み立て可能であることを特徴とする緩衝材用シートにある（請求項１）。
【０００８】
第２の発明は、折り曲げることによって緩衝材を組み立て可能な緩衝材用シートであって、
該シートは、一方側の端縁部を含むように配置された第１底面部と、該第１底面部から連続して配置された少なくとも３面の緩衝面部と、該緩衝面部に隣接して他方側の端縁部を含むように配置された第２底面部とを、隣り合う各面部の間に折り目線を介在させて設けてなると共に、上記第１底面部には上記一方側の端縁部から外方に突出した係止片を形成し、かつ上記第２底面部には上記係止片を挿入支持するための支持穴を形成した第１緩衝部形成面と、
上記第１緩衝部形成面と反転形状をなして同一構成を有する第２緩衝部形成面と、
上記第１緩衝部形成面と上記第２緩衝部形成面とが、各々に形成された上記折り目線の方向が互いに斜めになるように、上記第１緩衝部形成面と上記第２緩衝部形成面の緩衝面部の間に隣接し、折り目線を介在させて両者を連結するコーナ面とを有しており、
上記第１緩衝部形成面及び上記第２緩衝部形成面を、それぞれ、上記各折り目線を起点として上記一方側の端縁部と上記他方側の端縁部が近づく方向に折り返して環状形状とし、さらに、上記第１底面部の上記係止片を上記第２底面部の上記支持穴から上記環状形状の内方に差し込むように挿嵌させることにより、上記第１底面部と上記第２底面部とが上記環状形状の内方に向けて窪む形態をとるように組み立て、上記第１緩衝部形成面からなる第１緩衝部及び上記第２緩衝部形成面からなる第２緩衝部を各々形成し、ついで、上記コーナ面と上記第１緩衝部形成面及び上記第２緩衝部形成面との間の上記折り目線を起点として、上記第１緩衝部と上記第２緩衝部とが互いに近付く方向に折り返すことにより、全体を略Ｌ字状に形成して組み立て可能であることを特徴とする緩衝材用シートにある（請求項２）。
【０００９】
第３の発明は、第１又は第２の発明の緩衝材用シートを用いて、組み立ててなることを特徴とする緩衝材にある（請求項８）。
【発明の効果】
【００１０】
第１の発明の緩衝材用シートは、上記第１底面部と、少なくとも３面の上記緩衝面部と、上記第２底面部とを、隣り合う各面部の間に折り目線を介在させて設けてなると共に、上記第１底面部には上記係止片を形成し、かつ上記第２底面部には上記係止片を挿入支持するための上記支持穴を形成してある。
【００１１】
これによって、一枚のシートからなる最小限の材料によって、簡易な構造で緩衝材を組み立て可能な緩衝材用シートを得ることができる。
また、上記緩衝材用シートの製造においては、上記シート全体をプレス等により打ち抜き、その後に上記折り目線をスジ押し（あるいはその同時加工）するだけで上記緩衝材用シートを製造でき、製造コストを低減できる。そのため、安価に上記緩衝材用シートを製造でき、生産性も向上させることができる。
さらに、上記緩衝材用シートは平板状のため、出荷時、店頭販売時においては、嵩張らず、荷姿がよく、潰れやへこみが最小限に抑えられる。また、出荷時の荷姿が小さく軽量であるため、物流コストも抑えることができる。
【００１２】
また、緩衝材を組み立てる際には、上記シートを上記各折り目線を起点として上記一方側の端縁部と上記他方側の端縁部が近づく方向に折り返して環状形状とし、さらに、上記第１底面部の上記係止片を上記第２底面部の上記支持穴から上記環状形状の内方に差し込むように挿嵌させるだけで、上記第１底面部と上記第２底面部とが上記環状形状の内方に向けて窪む形態をとるように組み立て可能である。
【００１３】
これによって、上記第１底面部と上記第２底面部とが上記環状形状の内方に向けて窪む形態をなした箇所を取付面とした緩衝材を得ることができる。そして、上記緩衝材の上記取付面を、エッジ部等の形状に適宜対応させて貼り付けることにより、上記緩衝材を取り付けることができる。
特に、第１の発明にかかる上記緩衝材用シートから得られる緩衝材は、その全体が長尺状に形成されるため、例えばテーブルのエッジ部等の比較的長い直線状のエッジ部に適したものとなる。
【００１４】
また、上記第１の発明にかかる緩衝材用シートから得られる緩衝材は、上述の組み立て構造により、上記シートを上記各折り目線を起点として環状形状とし、その内方においては、上記他方側の端縁部及び上記第２底面部の支持穴から突出した上記係止片がそれぞれ上記緩衝面部側に対向した状態で交差する。すなわち、緩衝材における上記環状形状の内面には、上記緩衝面部側に長手方向に亘って、上記他方側の端縁部及び上記係止片よりなる梁部を形成できる。
【００１５】
これによって、上記緩衝材の衝撃吸収性や耐久性を向上させることができ、最小限の材料で衝撃荷重を受け止めることができる。そのため、上記緩衝材を取り付けたテーブルのエッジ部等に、たとえ乳幼児や子供がぶつかったとしても、衝撃を吸収し、怪我や傷を負うことを防止することができる。
【００１６】
第２の発明の緩衝材用シートは、上記第１の発明の緩衝材用シートと同様の構成に形成した第１緩衝部形成面を有する。また、上記第１緩衝部形成面と反転形状をなして同一構成を有する第２緩衝部形成面を有する。また、上記第１緩衝部形成面と上記第２緩衝部形成面とを連結するコーナ面を有している。
【００１７】
このシートを用い、まずは、上記第１緩衝部形成面及び上記第２緩衝部形成面を、上記第１の発明の緩衝材用シートと同様に組み立て、上記第１緩衝部形成面からなる第１緩衝部及び上記第２緩衝部形成面からなる第２緩衝部を各々形成する。
ついで、上記コーナ面と上記第１緩衝部形成面及び上記第２緩衝部形成面との間の上記折り目線を起点として、上記第１緩衝部と上記第２緩衝部とが互いに近付く方向に折り返すことにより、全体を略Ｌ字状に形成して組み立て可能である。
【００１８】
これによって、上記第１の発明と同様、上記第１緩衝部と上記第２緩衝部には上記取付面が形成され、特に、第２の発明にかかる上記緩衝材用シートから得られる緩衝材は、上記のごとく、その全体が略Ｌ字状に形成される。そのため、例えばテーブルのコーナ部に適したものとなる。また、上記第１緩衝部及び上記第２緩衝部は、それぞれ上記他方側の端縁部及び上記係止片よりなる梁部を内蔵した状態となるので、優れた衝撃吸収性を発揮でき、耐久性も向上できる。
これによって、上記緩衝材を取り付けたテーブルのコーナ部等に、たとえ乳幼児や子供がぶつかったとしても、衝撃を吸収し、怪我や傷を負うことを防止することができる。
【００１９】
第３の発明は、上記第１の発明または上記第２の発明にかかる緩衝材用シートを用いて、組み立ててなる緩衝材である。これらの緩衝材は上述したごとく、例えばテーブルのエッジ部やコーナ部に対して取り付けることができる。
これによって、上述したごとく、上記緩衝材を取り付けたテーブルのエッジ部やコーナ部に、たとえ乳幼児や子供がぶつかったとしても、衝撃を吸収し、怪我や傷を負うことを防止することができる。
【００２０】
以上のごとく、本発明によれば、簡易な構造かつ生産性の高い安価な緩衝材及びこれを組み立て可能な緩衝材用シートを提供できる。
【図面の簡単な説明】
【００２１】
【図１】実施例１における、緩衝材用シートの平面図。
【図２】実施例１における、緩衝材用シートの組み立て前の展開状態の説明図。
【図３】実施例１における、組み立て時の端縁部の折り返し状態の説明図。
【図４】実施例１における、組み立て時の環状形状を企図した端縁部の折り返し状態の説明図。
【図５】実施例１における、組み立て時の係止片と支持穴の挿嵌状態の説明図。
【図６】実施例１における、組み立て後の緩衝材の説明図。
【図７】実施例１における、組み立て後の緩衝材の底面図。
【図８】実施例１における、組み立て後の緩衝材の取付面の表面角度Ａを９０度に配した状態の説明図。
【図９】実施例１における、組み立て後の緩衝材の取付面の表面角度Ａを９０度に配した状態の底面図。
【図１０】実施例２における、緩衝材用シートの平面図。
【図１１】実施例２における、（ａ）組み立て後の緩衝材の全体形状の説明図、（ｂ）組み立て後の緩衝材の第１緩衝部の内部構造の説明図。
【図１２】実施例３における、緩衝材用シートの平面図。
【図１３】実施例３における、（ａ）組み立て後の緩衝材のコーナ面を正面とした内部構造の説明図、（ｂ）組み立て後の緩衝材の第１緩衝部及び第２緩衝部の内部構造の説明図。
【図１４】組み立て後の緩衝材のエッジ部に対する取付状態の説明図。
【図１５】組み立て後の緩衝材のコーナ部に対する取付状態の説明図。
【図１６】組み立て後の緩衝材のエッジ部及びコーナ部に対する取付状態の説明図。
【発明を実施するための形態】
【００２２】
第２の発明においては、上記コーナ面は、三角形状の第１コーナ面部を備え、該三角形状の２辺に設けられた折り目線を介して、上記第１緩衝部形成面と上記第２緩衝部形成面とに連結されていると共に、残りの１辺に設けられる折り目線を介して、略三角形状の第２コーナ面部が連結されており、該第２コーナ面部には、組み立てられた上記第１緩衝部及び上記第２緩衝部の端部から内部に差し込む一対の支持片が設けられていることが好ましい（請求項３）。
【００２３】
この場合は、第２の発明にかかる上記シートの組み立てにおいて、上記第２コーナ面部に設けられた上記支持片が、上記第１緩衝部及び第２緩衝部の端部から内部に差し込まれることで該第１緩衝部及び第２緩衝部の内面側と面接触し、組み立て後の緩衝材における上記コーナ面の耐久性を向上させることができ、また、略Ｌ字状をなす上記緩衝材の全体形状の安定性を向上させることができる。
【００２４】
第２の発明においては、上記第１緩衝部形成面の第２底面部には端縁部から外方に突出した差込片を形成し、かつ上記第２緩衝部形成面の第２底面部には端縁部から外方に突出し、上記差込片を挿入支持するための差込穴を有した受け片を形成することが好ましい（請求項４）。
【００２５】
この場合は、第２の発明にかかる上記シートの組み立てにおいて、全体を略Ｌ字状に組み立てる際に、上記第１緩衝部形成面の上記差込片を、上記第２緩衝部形成面の上記受け片に形成された上記差込穴からシート全体形状の内方に差し込むことで、上記コーナ面の内方においては、上記受け片及び上記差込穴から突出した上記差込片がそれぞれ上記コーナ面側に対向した状態で交差する。すなわち緩衝材における上記コーナ面の内面には、上記受け片及び上記差込片よりなる梁部を形成できる。
これによって、組み立て後の緩衝材における上記コーナ面の衝撃吸収性や耐久性を向上させることができ、また、上記緩衝材の全体形状の安定性を向上させることもできる。
【００２６】
第１の発明あるいは第２の発明においては、上記第１底面部と上記第２底面部の表面には、両面テープを配することが好ましい（請求項５）。
この場合は、組み立て後の上記緩衝材を、別途固定具を用いずに容易に取り付けることができ、また、上記緩衝材の取り外しも容易にできる。
【００２７】
第１の発明あるいは第２の発明においては、組み立て後の上記第１底面部と上記第２底面部とを、これらの表面における長手方向に直交する断面の角度が９０度となるように配した際に、上記他方側の端縁部の先端と上記環状形状の内面との間及び上記一方側の上記係止片の先端と上記環状形状の内面との間に空間を有することが好ましい（請求項６）。
【００２８】
この場合は、上記緩衝材の環状形状の内方には上記空間を有するため、上記緩衝面部に対し衝撃を受けた際、緩衝面部を潰れやすい構造にできる。そのため、上記他方側の端縁部と上記係止片からなる梁部に対しては、上記緩衝面部を介してある程度吸収された衝撃が伝わるため、上記緩衝材の衝撃吸収性を向上させることができる。
また、この場合には、上記空間の存在により、組み立て後の上記第１底面部と上記第２底面部との上記角度を９０度未満の鋭角状に配することが容易となり、鋭角状のエッジ部等への取り付けが容易となる。
【００２９】
第１の発明あるいは第２の発明においては、上記シートはダンボールよりなることが好ましい（請求項７）。
この場合は、上述した上記緩衝材の衝撃吸収性をより向上させることができ、また材質が安価であり、その加工性の高さから製造コストを低減することができる。そのため、より安価に上記緩衝材用シートを製造できる。
【００３０】
また、材質が紙材であるため、はさみ、カッター等で容易に裁断でき、上記緩衝材の長さを容易に調整することができる。
さらに、緩衝材用シートの製造においてはＣＯ２排出量を抑制でき、また、緩衝材用シートの廃棄時には容易に分解、リサイクルが可能である。
【実施例】
【００３１】
（実施例１）
本発明における緩衝材用シート１及び緩衝材３について、図１〜図９及び図１４を用いて説明する。
本例の緩衝材用シート１は、図２〜図５に示すように、折り曲げることによって緩衝材３を組み立てることが可能である。
【００３２】
緩衝材用シート（以下、単にシートという）１は、図１に示すごとく、一方側の端縁部２４を含むように配置された第１底面部２１と、第１底面部２１から連続して配置された少なくとも３面の緩衝面部２２と、緩衝面部２２に隣接して他方側の端縁部２５を含むように配置された第２底面部２３とを、隣り合う各面部の間に折り目線４を介在させて設けている。また、第１底面部２１には一方側の端縁部２４から外方に突出した係止片２１０を形成し、かつ第２底面部２３には係止片２１０を挿入支持するための支持穴２３０を形成してある。
【００３３】
緩衝材３を組み立てる際には、図２〜図５に示すごとく、シート１を各折り目線４を起点として一方側の端縁部２４と他方側の端縁部２５が近づく方向に折り返して環状形状とし、さらに、第１底面部２１の係止片２１０を第２底面部２３の支持穴２３０から環状形状の内方に差し込むように挿嵌させることにより、第１底面部２１と第２底面部２３とが環状形状の内方に向けて窪む形態をとるように組み立て可能である。
【００３４】
以下、さらに詳説する。
シート１は、図１に示すごとく、全体が略長方形状をなして形成される。また、同図に示すごとく、シート１の一方面に対して、複数の折り目線４がシート１の長手方向に向かい所定間隔をおいて、かつ平行をなして形成される。また、同図に示すごとく、各折り目線４の間隔は、第１底面部２１及び第２底面部２３が略同等の幅寸法を有し、かつ緩衝面部２２よりも大きい幅寸法を有するように設定され、さらに、緩衝面部２２のうち、シート１の幅方向中央に位置する１面の緩衝面部が他面の緩衝面部２２より幅寸法が小さくなるよう設定されている。
なお、本例では、図１に示すごとく、緩衝面部２２が第１底面部２１から連続して３面配置されているが、折り目線４を増やし、緩衝面部２２の配置数を３面以上配置しても構わない。
【００３５】
また、図１に示すごとく、第１底面部２１の係止片２１０は、その幅寸法が第２底面部２３における支持穴２３０のシート中心側の支持穴端縁部２３１から他方側の端縁部２５までの寸法幅と略同一の幅寸法により形成される。
さらに、係止片２１０は、支持穴２３０への挿嵌時に係止片２１０が係止できる程度に突出した係止部２１１を有し、係止片２１０の長手寸法が支持穴２３０の長手寸法よりも若干大きく形成される。
また、本例では、同図に示すごとく、係止片２１０及び支持穴２３０が、シート１の長手方向にそれぞれ２個形成されているが、両者の構成数を対応させて、さらに数を増して形成し、あるいは数を減らして形成しても構わない。
【００３６】
さらに、本例では、図１及び図５に示すとおり、第１底面部２１と第２底面部２３の表面には、両面テープ８が配される。
また、シート１は、ダンボールにより形成される。なお、シート１の材質はなんら限定されるものではなく、例えば、紙材、プラスチック板、プラスチックダンボール、金属板等により構成しても構わない。また、シート１の厚みもなんら限定されるものではなく、厚みが大きいほど緩衝材３の衝撃吸収性を向上させることができるため、用途に応じて、シート１を種々の厚みにより形成しても構わない。
【００３７】
以下、緩衝材３の組み立てについて、図２〜図５に従って順番に説明する。
まず、図２に示すごとく、展開状態のシート１を折り目線４の形成面が手前側となるように用意する。次いで、図３に示すごとく、例えば、他方側の端縁部２５を有する第２底面部２３を、第２底面部２３に隣接する折り目線４を起点として折り返して、組み立てを開始する。次いで、図４に示すごとく、一方側の端縁部２４と他方側の端縁部２５が近づく方向に折り返しながら、緩衝面部２２と隣接する折り目線４をそれぞれ起点として、シート１全体が環状形状となるように、かつ他方側の端縁部２５が上記環状形状の内方に向かうように折り返す。
【００３８】
次いで、図５に示すごとく、係止片２１０を有する第１底面部２１を、第１底面部２１と隣接する折り目線４を起点として折り返し、係止片２１０を上記折り返した第２底面部２３の支持穴２３０から環状形状の内方に差し込むように挿嵌させる。これにより、第１底面部２１と第２底面部２３とが環状形状の内方に向けて窪む形態をとるように緩衝材３を組み立てことができる。
【００３９】
なお、本例では、上記の図２〜図５に示すような組み立て順序になんら限定されるものではなく、組み立て開始時において、第１底面部２１から折り返し始めても構わない。あるいは、第１底面部２１と第２底面部２３をシート１両側から、一方側の端縁部２４と、他方側の端縁部２５とが近づく方向に同時に折り返して組み立て始めても構わない。
つまり、シート１が環状形状に折り返され、係止片２１０を第２底面部２３の支持穴２３０から環状形状の内方に差し込むように挿嵌させて、第１底面部２１と第２底面部２３とが環状形状の内方に向けて窪む形態をとるように組み立て可能であればよい。
【００４０】
また、図９に示すごとく、組み立て後の第１底面部２１と第２底面部２３とを、これらの表面における長手方向に直交する断面の角度Ａが９０度となるように配した際に、他方側の端縁部２５の先端と環状形状の内面３１との間及び一方側の係止片２３０の先端と環状形状の内面３１との間に空間３０を有する。
【００４１】
次に、本例の作用効果について、説明する。
本例のシート１は、第１底面部２１と、少なくとも３面の緩衝面部２２と、第２底面部２３とを、隣り合う各面部の間に折り目線４を介在させて設けてなると共に、第１底面部２１には係止片２１０を形成し、かつ第２底面部２３には係止片２１０を挿入支持するための支持穴２３０を形成してある（図１参照）。
【００４２】
これによって、一枚のシートからなる最小限の材料によって、簡易な構造で緩衝材３を組み立て可能なシート１を得ることができる。
また、シート１の製造においては、シート１全体をプレス等により打ち抜き、その後に折り目線４をスジ押し（あるいはその同時加工）するだけでシート１を製造でき、製造コストを低減できる。そのため、安価にシート１を製造でき、生産性も向上させることができる。
さらに、シート１は平板状のため、出荷時、店頭販売時においては、嵩張らず、荷姿がよく、潰れやへこみが最小限に抑えられる。また、出荷時の荷姿が小さく軽量であるため、物流コストも抑えることができる。
【００４３】
また、上述したシート１の組み立て構成により、第１底面部２１と第２底面部２３とが環状形状の内方に向けて窪む形態をなした箇所を取付面３２とした緩衝材３を得ることができる（図６〜図９参照）。そして、緩衝材３の取付面３２を、エッジ部等の形状に適宜対応させて、緩衝材３を取り付けることができる。
【００４４】
また、第１底面部２１と第２底面部２３の表面には、両面テープ８を配している（図１参照）。これによって、組み立て後の緩衝材３を、別途固定具を用いずに容易に取り付けることができ、又は緩衝材３の取り外しも容易にできる（図６〜図９及び図１４参照）。
また、図１４に示すごとく、本例のシート１から得られる緩衝材３は、その全体が長尺状に形成されるため、例えばテーブル８０のエッジ部８１等の比較的長い直線状のエッジ部に適したものとなる。
【００４５】
また、本例のシート１から得られる緩衝材３は、上述の組み立て構造により、シート１を各折り目線４を起点として環状形状とし、その内方においては、他方側の端縁部２５及び第２底面部２３の支持穴２３０から突出した係止片２１０がそれぞれ緩衝面部２２側に対向した状態で交差する（図７及び図９参照）。
【００４６】
すなわち、緩衝材３における環状形状の内面３１には、緩衝面部２２側に長手方向に亘って他方側の端縁部２５及び係止片２１０よりなる梁部３３を形成できる。これによって、緩衝材３の衝撃吸収性や耐久性を向上させることができ、最小限の材料で衝撃荷重を受け止めることができる。そのため、図１４に示すごとく、緩衝材３を取り付けたテーブル８０のエッジ部８１等に、たとえ乳幼児や子供がぶつかったとしても、衝撃を吸収し、怪我や傷を負うことを防止することができる。
【００４７】
また、シート１の幅方向中央に位置する１面の緩衝面部２２の幅寸法を、他面の緩衝面部２２の幅寸法よりも小さく形成することで、組み立て後の緩衝材３の長手方向に直交する断面形状を略台形状に形成できる。そのため、緩衝面部２２の角部を鈍角にすることができ、衝撃の緩衝効果をさらに高めることができる。また、組み立て後の第１底面部２１と第２底面部２３とを、これらの表面における長手方向に直交する断面の角度Ａが９０度となるように配した際に、他方側の端縁部２５の先端と環状形状の内面３１との間及び一方側の係止片２３０の先端と環状形状の内面３１との間に空間３０を有する（図９参照）。
【００４８】
これによって、緩衝材３の環状形状の内方に空間３０を有するため、緩衝面部２２に対し衝撃を受けた際、緩衝面部２２が潰れやすい構造にでき、緩衝材３の衝撃吸収性を向上させることができる。
シート１はダンボールよりなる。これによって、上述した緩衝材３の衝撃吸収性をより向上させることができ、また材質が安価であり、その加工性の高さから製造コストを低減することができる。そのため、より安価に緩衝材用シート１を製造できる。
【００４９】
また、材質が紙材であるため、はさみ、カッター等で容易に裁断でき、緩衝材３の長さを容易に調整することができる。
さらに、緩衝材用シート１の製造においてはＣＯ２排出量を抑制でき、また、緩衝材用シート１の廃棄時には簡単に分解し、リサイクルすることができる。
【００５０】
以上のごとく、本例によれば、簡易な構造かつ生産性の高い安価な緩衝材及びこれを組み立て可能な緩衝材用シートを提供できる。
【００５１】
（実施例２）
本発明における緩衝材用シート１０２及び緩衝材３０２について、図２〜図５、図１０、図１１、図１５及び図１６を用いて説明する。
本例のシート１０２は図１１（ａ）及び（ｂ）に示すように、折り曲げることによって緩衝材３０２を組み立てることが可能である。
【００５２】
シート１０２は、図１０に示すごとく、第１緩衝部形成５０と第２緩衝部形成６０とがコーナ面７を介して連結され、両者がコーナ面７の中心基点において線対称となる位置に配置されている。また、同図に示すごとく、本例の第１緩衝部形成５０及び第２緩衝部形成６０のうち、各々の第１底面部２１の端縁部２６、及び第１底面部２１とコーナ面７にと隣接した緩衝面部２２との間に形成される各々の緩衝面部２２の端縁部２６が、第１緩衝部５と第２緩衝部６とを互いに近付く方向に折り返えした際、緩衝材３０２の全体が略Ｌ字状に形成できる程度にテーパカットされている。
【００５３】
また、図１０に示すごとく、コーナ面７は、三角形状の第１コーナ面部７１を備え、三角形状の２辺に設けられた折り目線４１を介して、第１緩衝部形成面５０と第２緩衝部形成面６０とに連結されていると共に、残りの１辺に設けられる折り目線４２を介して、略三角形状の第２コーナ面部７２が連結されている。
【００５４】
さらに、同図に示すごとく、第２コーナ面部７２には、組み立てられた第１緩衝部５及び第２緩衝部６の端部から内部に差し込む一対の支持片７２０が設けられている。
その他の第１緩衝部形成面５０及び第２緩衝部形成面６０の構成等は、実施例１と同様である。
【００５５】
このシート１０２を用い、まずは、第１緩衝部形成面５０及び第２緩衝部形成面６０を、上記実施例１のシート１と同様に組み立て、第１緩衝部５及び第２緩衝部６を各々形成する。ついで、コーナ面７と第１緩衝部形成面５０及び第２緩衝部形成面６０との間の折り目線４１を起点として、第１緩衝部５と第２緩衝部６とが互いに近付く方向に折り返すことにより、図１１（ａ）、（ｂ）に示すごとく、全体を略Ｌ字状に形成して組み立て可能である。
【００５６】
また、コーナ面７は、三角形状の第１コーナ面部７１を備え、三角形状の２辺に設けられた折り目線４１を介して、第１緩衝部形成面５０と第２緩衝部形成面６０とに連結されていると共に、残りの１辺に設けられる折り目線４２を介して、略三角形状の第２コーナ面部７２が連結されており、第２コーナ面部７２には、組み立てられた第１緩衝部５及び第２緩衝部６の端部から内部に差し込む一対の支持片７２０が設けられている（図１０参照）。
【００５７】
これによって、本例のシート１０２の組み立てにおいて、第２コーナ面部７２に形成した支持片７２０が、第１緩衝部５及び第２緩衝部６の端部から内部に差し込まれることで第１緩衝部５及び第２緩衝部６の内面側と面接触し、組み立て後の緩衝材３０２におけるコーナ面７の耐久性を向上させることができ、また、緩衝材３０２の全体形状の安定性を向上させることができる。
【００５８】
以上のように、第１の発明と同様、第１緩衝部５と第２緩衝部６には取付面３２が形成され、特に、本例のシート１０２から得られる緩衝材３０２は、上記のごとく、その全体が略Ｌ字状に形成される。そのため、図１５に示すごとく、例えばテーブル８０のコーナ部８２に対して取り付けることができる。
また、第１緩衝部５及び第２緩衝部６は、それぞれ他方側の端縁部２５及び係止片２１０よりなる梁部３３を内蔵した状態となるので、優れた衝撃吸収性を発揮する。
これによって、緩衝材３０２を取り付けたテーブル８０のコーナ部８２等に、たとえ乳幼児や子供がぶつかったとしても、衝撃を吸収し、怪我や傷を負うことを防止することができる（図１５参照）。
【００５９】
さらに、図１６には、実施例１の緩衝材３をテーブル８０のエッジ部８１に取り付け、さらに本例の発明の緩衝材３０２をコーナ部８２に対して取り付けた組み合わせ例を示す。
その他、実施例１と同様の作用効果を有する。
【００６０】
（実施例３）
本例は、図１２に示すごとく、第２の発明にかかるシート１０２について、第１緩衝部形成面５０の第２底面部２３には端縁部２７から外方に突出した差込片２３２を形成し、かつ第２緩衝部形成面６０の第２底面部２３には端縁部２７から外方に突出し、差込片２３２を挿入支持するための差込穴２３４を有した受け片２３３を形成した例である。
【００６１】
本例の場合には、図１３（ａ）、（ｂ）に示すごとく、シート１０２の組み立てにおいて、全体を略Ｌ字状に組み立てる際に、差込片２３２を受け片２３３に形成された差込穴２３４からシート全体形状の内方に差し込むことで、コーナ面７の内方においては、受け片２３３及び差込穴２３４から突出した差込片２３２がそれぞれコーナ面７側に対向した状態で交差する。すなわち、緩衝材３０２におけるコーナ面７の内面には、受け片２３３及び差込片２３２よりなる梁部３４を形成できる。
これによって、組み立て後の緩衝材３０２におけるコーナ面７の衝撃吸収性や耐久性を向上させることができ、また、緩衝材３０２の全体形状の安定性を向上させることもできる。
その他の構成は、実施例２と同様であり、実施例２と同様の作用効果を有する。
【符号の説明】
【００６２】
１  緩衝材用シート
２１  第１底面部
２１０  係止片
２２  緩衝面部
２３  第２底面部
２３０  支持穴
２４  端縁部
２５  端縁部
４  折り目線
【図１】
2012012096.tif 000003
【図２】
2012012096.tif 000004
【図３】
2012012096.tif 000005
【図４】
2012012096.tif 000006
【図５】
2012012096.tif 000007
【図６】
2012012096.tif 000008
【図７】
2012012096.tif 000009
【図８】
2012012096.tif 000010
【図９】
2012012096.tif 000011
【図１０】
2012012096.tif 000012
【図１１】
2012012096.tif 000013
【図１２】
2012012096.tif 000014
【図１３】
2012012096.tif 000015
【図１４】
2012012096.tif 000016
【図１５】
2012012096.tif 000017
【図１６】
2012012096.tif 000018